(57)【特許請求の範囲】
【請求項１】
交流電源ラインに挿入されて負荷に供給する交流電圧を位相制御するサイリスタを備えた位相制御回路と；
位相制御回路の出力電流を監視する電流センサと；
位相制御回路に並列的に接続されて交流電圧をＯＮ、ＯＦＦするリレーと；
位相制御回路を作動させて位相制御出力を負荷に給電する調光出力モードと位相制御回路を介さないで直接交流電源電圧を出力して負荷に給電する直電源出力モードとを切り換え可能に制御するとともに、直電源出力モードにおいて、出力を開始するときには交流電源電圧のゼロクロスのタイミングで位相制御回路のサイリスタをＯＮさせ、電流センサが監視した位相制御回路の出力電流が、負荷の突入電流を流した後に低下して交流電圧の半サイクルの出力電流のピーク値がリレーの許容電流値に到達したときの電流値からなる所定値以下のときにリレーをＯＮさせて交流電源電圧を出力し、出力を停止するときには、リレーをＯＦＦさせてから位相制御回路のサイリスタをＯＦＦさせる制御手段と；
を具備していることを特徴とする調光装置。
【請求項２】
交流電源ラインに挿入されて負荷に供給する交流電圧を位相制御するサイリスタを備えた位相制御回路と；
位相制御回路の出力電流を監視する電流センサと；
交流電源ラインに挿入されて位相制御回路と直列接続したリアクタと；
位相制御回路およびリアクタの直列回路に並列的に接続されて交流電圧をＯＮ、ＯＦＦする第１のリレーと；
リアクタに対して並列接続された第２のリレーと；
位相制御回路を作動させて位相制御出力を負荷に給電する調光出力モードと位相制御回路を介さないで直接交流電源電圧を出力して負荷に給電する直電源出力モードとを切り換え可能に制御するとともに、直電源出力モードにおいて、出力を開始するときには第２のリレーをＯＮさせた後に、交流電源電圧のゼロクロスのタイミングで位相制御回路のサイリスタをＯＮさせ、電流センサが監視した位相制御回路の出力電流が、負荷の突入電流を流した後に低下して交流電圧の半サイクルの出力電流のピーク値がリレーの許容電流値に到達したときの電流値からなる所定値以下のときに第１のリレーをＯＮさせた後に第２のリレーをＯＦＦさせて交流電源電圧を出力し、出力を停止するときには、第１のリレーをＯＦＦさせてから位相制御回路のサイリスタをＯＦＦさせる制御手段と；
を具備していることを特徴とする調光装置。
【請求項３】
交流電源ラインに挿入されて負荷に供給する交流電圧を位相制御するサイリスタを備えた位相制御回路と；
位相制御回路の出力電流を監視する電流センサと；
交流電源ラインに挿入されて位相制御回路と直列接続したリアクタと；
位相制御回路およびリアクタの直列回路に並列的に接続されて交流電圧をＯＮ、ＯＦＦする第１のリレーと；
リアクタに対して並列接続された第２のリレーと；
位相制御回路を作動させて位相制御出力を負荷に給電する調光出力モードと位相制御回路を介さないで直接交流電源電圧を出力して負荷に給電する直電源出力モードとを切り換え可能に制御するとともに、直電源出力モードにおいて、出力を開始するときには第２のリレーをＯＮさせた後に、交流電源電圧のゼロクロスのタイミングで位相制御回路のサイリスタをＯＮさせ、電流センサが監視した位相制御回路の出力電流が、負荷の突入電流を流した後に低下して交流電圧の半サイクルの出力電流のピーク値がリレーの許容電流値に到達したときの電流値からなる所定値以下のときに第１のリレーをＯＮさせて交流電源電圧を出力し、出力を停止するときには、第２のリレーがＯＮしている状態で第１のリレーをＯＦＦさせてから位相制御回路のサイリスタをＯＦＦさせ、その後第２のリレーをＯＦＦさせる制御手段と；
を具備していることを特徴とする調光装置。
【発明の詳細な説明】
【技術分野】
【０００１】
本発明は、サイリスタを用いて位相制御する位相制御回路を備えた調光装置に関する。
【背景技術】
【０００２】
半導体スイッチ素子を用いた位相制御調光装置を用いて白熱灯負荷を調光する調光装置において、白熱灯のフィラメントの冷えた状態のときに通電を開始すると、大きな突入電流が流れる。そこで、通電開始時には電源トランスを介在させて降圧した電圧を印加することで突入電流を低く抑えるとともに、タイマ回路によって電源切り換えのためのリレーを制御して、突入電流が流れなくなってから電源トランスを切り離すようにした構成が知られている（特許文献１参照。）。
【０００３】
一方、調光装置の出力コンセントをスタジオなどで用いる機器の電源として使用する場合、位相制御回路出力をリレーにより直電源出力モードに切り換えて電源を供給することが行われている。
【０００４】
【特許文献１】特開２０００−２２３２８６号公報
【発明の開示】
【発明が解決しようとする課題】
【０００５】
上述の位相制御調光装置では、電源トランスを用いるので、装置が大型化するとともにコスト高になるという問題がある。
【０００６】
調光装置をリレーにより直電源出力モードに切り換える場合、当該リレーがＯＮする時に突入電流によってリレー接点が溶着することがあった。また、リレーをＯＦＦする時にアークなどによりリレー接点が溶着することもあった。
【０００７】
上述の問題の対策のためには定格の大きなリレーを使用する必要があった。
【０００８】
本発明は、調光出力モードと直電源出力モードとを切り換え可能にするとともに、上記モードを切り換えるリレーの定格を小さくできる調光装置を提供することを目的とする。
【課題を解決するための手段】
【０００９】
第１の発明の調光装置は、交流電源ラインに挿入されて負荷に供給する交流電圧を位相制御するサイリスタを備えた位相制御回路と；位相制御回路の出力電流を監視する電流センサと；位相制御回路に並列的に接続されて交流電圧をＯＮ、ＯＦＦするリレーと；位相制御回路を作動させて位相制御出力を負荷に給電する調光出力モードと位相制御回路を介さないで直接交流電源電圧を出力して負荷に給電する直電源出力モードとを切り換え可能に制御するとともに、直電源出力モードにおいて、出力を開始するときには交流電源電圧のゼロクロスのタイミングで位相制御回路のサイリスタをＯＮさせ、電流センサが監視した位相制御回路の出力電流が、負荷の突入電流を流した後に低下して交流電圧の半サイクルの出力電流のピーク値がリレーの許容電流値に到達したときの電流値からなる所定値以下のときにリレーをＯＮさせて交流電源電圧を出力し、出力を停止するときには、リレーをＯＦＦさせてから位相制御回路のサイリスタをＯＦＦさせる制御手段と；を具備していることを特徴としている。
【００１０】
本発明は以下の態様を許容する。なお、最初に第１の発明を中心に説明するが、その他の発明に対しても可能であれば適用される。
【００１１】
位相制御回路は、交流電源ラインに接続しているとともに、位相制御スイッチ素子としてのサイリスタを備えていて、交流電源電圧を位相制御して出力することにより、調光出力モードに対応させることができる。本発明において、位相制御のための回路構成は、特段限定されないので、既知のこの種回路を適宜採用することができる。典型的には、一対のサイリスタを逆並列接続した構成およびダイオードブリッジの対向接続点にサイリスタを接続した構成などを選択的に用いることができる。サイリスタとしては、ＳＣＲなどの３端子サイリスタやＳＳＲなどの２端子サイリスタを用いることができる。
【００１２】
電流センサは、位相制御回路の出力電流を監視する手段であるが、具体的な手段は特段限定されない。例えば、電流変成器、電流検出用抵抗器、半導体電流検出器などを適宜用いることができる。また、電流センサの挿入位置は、位相制御回路の出力電流を監視可能であれば特定の回路位置に限定されない。例えば、位相制御回路の出力電流のみが流れる位置でもよいし、全ての負荷電流が流れる位置であってもよい。
【００１３】
そうして、電流センサからの監視出力は、後述する制御手段に制御入力して、電流出力に応じて所要の制御動作を制御手段に行わせる。なお、全ての負荷電流が流れる位置に電流センサを挿入していれば、直電源出力モード時にも負荷電流を監視して過電流保護などの所望の制御を行うことが可能になる。
【００１４】
リレーは、位相制御回路に並列的に接続していて、位相制御回路をバイパスすることにより、位相制御回路を経由することなしに交流電圧を直接調光装置から出力する直電源出力モードための電路を形成する。したがって、リレーは、位相制御回路にのみ並列接続するだけでなく、位相制御回路を含んでいれば他の回路要素、例えばリアクタなどを含む直列回路に並列接続することを許容する。
【００１５】
また、本発明において、リレーの具体的な構成は特段限定されない。例えば、電磁リレーや電子リレーなどであってもよい。
【００１６】
制御手段は、調光装置を調光出力モードおよび直電源出力モードのいずれにも切り換え可能に制御する手段である。調光出力モードは、位相制御回路を作動させて負荷に供給する電流を位相制御して照明負荷を調光制御する場合に用いる動作モードである。これに対して、直電源出力モードは、位相制御回路を介さないで直接交流電源電圧を出力する動作モードである。そして、例えばムービングライトなどと称される遠隔制御される演出用の可動式照明装置などの電源として調光装置を用いる場合に用いることができる。
【００１７】
制御手段は、直電源出力モードのときに以下の制御を行う。
【００１８】
１．直電源出力を開始する場合
（１）最初に、位相制御回路のサイリスタを交流電源電圧のゼロクロスタイミングでＯＮさせる。
（２）次に、電流センサが監視した位相制御回路の出力電流が後述する所定値以下のときにリレーをＯＮさせる。このとき、リレーには突入電流は流れないから、電流定格の比較的小さな小形のリレーを用いることができる。なお、リレーをＯＮさせるタイミングは、位相制御回路の出力電流の交流電圧の半サイクルのピーク値が後述する所定値以下であれば、図２，４および５に示し、かつ後述するように所定値になった瞬間より遅れたゼロクロスであってもよい。
【００１９】
そうして、交流電源電圧が調光装置から直接出力されて直電源出力モードになる。なお、上記において、所定値とは、負荷の突入電流を流した後に出力電流が低下して交流電圧の半サイクルにおける電流のピーク値がリレーの許容電流値に到達したときの電流値である。また、調光装置が直電源出力モードで作動しているとき、位相制御回路のサイリスタは、ＯＦＦ状態であってもよいし、直電源出力開始時からＯＮ状態を継続していてもよい。いずれの場合であっても、リレーがＯＮしているので、交流電源電圧が直接出力される。
【００２０】
２．直電源出力を停止する場合
（１）最初に、リレーをＯＦＦさせる。なお、位相制御回路のサイリスタがＯＦＦ状態であるときにはリレーをＯＦＦさせる前に位相制御回路のサイリスタをＯＮ状態にしておく。そうして、リレーのＯＦＦ時には位相制御回路のサイリスタがＯＮ状態であるから、リレー接点がアークを引くようなことはない。
（２）次に、位相制御回路のサイリスタをＯＦＦさせる。位相制御回路のサイリスタがＯＦＦする場合、そのサイリスタが交流電圧のゼロクロスでＯＦＦするように構成しておくのが好ましい。
【００２１】
また、制御手段は、調光出力モードのときには次の制御を行う。すなわち、リレーをＯＦＦさせ、位相制御回路のサイリスタに位相制御信号を供給して位相制御動作を行わせる。
【００２２】
さらに、制御手段は、マイコンおよびＤＳＰ（ディジタルシグナルプロセッサ）などのディジタルデバイスを主体として構成するのが好適である。なお、上述の各種制御を行うためには、ディジタルデバイスからの制御出力をＤ／Ａコンバータを経由して制御信号を得ることができる。
【００２３】
その他の構成として、所望により例えばリアクタを位相制御回路に直列接続して位相制御回路およびリアクタの直列回路に並列にリレーを接続することができる。リアクタは、サイリスタのＯＮによるｄＶ／ｄｔの大きな電圧立ち上がりに伴う負荷電流の立ち上がりを緩やかにして雑音発生を抑制する。なお、リアクタおよび位相制御回路の直列回路に対してリレーを並列接続することができる。
【００２４】
第２の発明は、位相制御回路、電流センサ、リアクタ、第１および第２のリレー、ならびに制御手段を具備している。なお、位相制御回路および電流センサは、第１の発明と構成が同じである。第１のリレーは、第１の発明におけるリレーと構成が同じである。制御手段は、調光出力モードおよび直電源出力モードとを切り換え可能に制御する点は第１の発明と同じである。そうして、第２の発明は、リアクタを位相制御回路に直列接続する場合において、第１のリレーをＯＮする際のリアクタのインピーダンスの影響をなくすようにした構成である。すなわち、第２の発明においては、リアクタに第２のリレーを並列接続し、さらに直電源出力モードにおいて、出力を開始するときには制御手段をして最初に第２のリレーをＯＮさせてリアクタを短絡しておいてから、第１の発明におけるシーケンスと同様に位相制御回路のサイリスタをＯＮさせて突入電流を流して、その出力電流が所定値以下のときに位相制御回路に並列接続するリレー（この態様においては、第２のリレーとの区別を容易にするため、以下第１のリレーという。）をＯＮさせる。
【００２５】
そうして、直電源出力モードとしての交流電源電圧を出力することができる。第２の発明においては、第１のリレーをＯＮするまでの間、第２のリレーをＯＮさせておくので、第１のリレーをＯＮする際のリアクタのインピーダンスの影響をなくすことができる。なお、直電源出力モード中、位相制御回路のサイリスタおよび第２のリレーはＯＦＦ状態およびＯＮ状態のいずれにしておいてもよい。
【００２６】
次に、出力を停止するときには、前述の第１の発明におけるのと同様のシーケンスにする。
【００２７】
第３の発明は、第２の発明と同様に位相制御回路、電流センサ、リアクタ、第１および第２のリレー、ならびに制御手段を具備している。なお、位相制御回路および電流センサは、第１および第２の発明と構成が同じである。第１のリレーは、第１の発明におけるリレーと構成が同じである。制御手段は、調光出力モードおよび直電源出力モードとを切り換え可能に制御する点は第１および第２の発明と同じである。そうして、第３の発明は、リアクタを位相制御回路に直列接続する場合において、直電源出力モードを停止する際にもリアクタのインピーダンスの影響をなくすようにした構成である。すなわち、第３の発明においては、リアクタを位相制御回路に直列接続する構成であって、第２の発明におけるのと同様にリアクタに第２のリレーを並列接続し、さらに直電源出力モードにおいて、出力を開始するときには制御手段をして最初に第２のリレーをＯＮさせてリアクタを短絡しておいてから、第１の発明におけるシーケンスと同様に位相制御回路のサイリスタをＯＮさせ、その出力電流が所定値以下になったときに位相制御回路に並列接続する第１のリレーをＯＮさせる。この点において、第３の発明は第２の発明と同様である。
【００２８】
次に、直電源出力モードにおいて、その出力を停止する際には、予め第２のリレーおよび位相制御回路のサイリスタをＯＮ状態にしておく。したがって、直電源出力モード中、第２のリレーおよび位相制御回路のいずれか一方または両方をＯＦＦさせている場合には、直電源モード停止に先立ってＯＦＦ状態をＯＮ状態に転換させればよい。上記の準備ができたら、第１のリレーをＯＦＦさせ、次に位相制御回路をゼロクロスでＯＦＦさせる。そして、最後に第２のリレーをＯＦＦさせる。
【００２９】
そうして、直電源出力モードを停止する際に、第１のリレーがＯＦＦするときには、位相制御回路のサイリスタがＯＮ状態であるから、アークを引くことがなくなり、第１のリレーを保護することができる。最後に、第２のリレーをＯＦＦするときには位相制御回路のサイリスタが既にＯＦＦしているので、第２のリレーも保護される。第２のリレーをＯＦＦさせることにより、リアクトルが交流電源ラインに直列に挿入される。以上の動作を終了の後、直電源出力モードを停止することができる。
【発明の効果】
【００３０】
第１の発明においては、サイリスタを備えた位相制御回路にリレーを並列的に接続し、直電源出力モードにおいて、制御手段が出力を開始するときには交流電源電圧のゼロクロスのタイミングで位相制御回路のサイリスタをＯＮさせることにより、電流センサが監視した位相制御回路の出力電流が負荷の突入電流を流した後に低下して交流電圧の半サイクルのピーク値がリレーの許容電流値からなる電流値である所定値以下になったときにリレーをＯＮさせて交流電源電圧を直接出力して直電源出力モードにすることができるとともに、直電源出力を停止するときには、リレーをＯＦＦさせてから位相制御回路のサイリスタをＯＦＦさせるので、調光出力モードから直電源出力モードに切り換える回路構成が簡単であるとともに、比較的小さな電流定格のリレーを使用して直電源出力モードへの切り換えが可能で、しかも比較的安価で小形の調光装置を提供することができる。
【００３１】
第２の発明においては、位相制御回路に直列にリアクタを接続する場合に、リアクタに並列に第２のリレーを接続して、直電源出力モードにする際に位相制御回路に並列する第１のリレーをＯＮする以前に第２のリレーをＯＮさせておくことにより、第１の発明の効果に加えて、第１のリレーをＯＮするまでの間においてリアクタのインピーダンスが回路に影響しないようにすることができる。
【００３２】
第３の発明においては、位相制御回路に直列にリアクタを接続する場合に、リアクタに並列に第２のリレーを接続して、直電源出力モードにする際に位相制御回路に並列する第１のリレーをＯＮする以前に第２のリレーをＯＮさせておくとともに、直電源出力モードを停止する際に予め位相制御回路のサイリスタおよび第２のリレーをＯＮしておいてから第１のリレーをＯＦＦ状態にし、次に位相制御回路のサイリスタをＯＦＦし、最後に第２のリレーをＯＦＦすることにより、第１および第２の発明の効果に加えて、直電源出力モードを停止する際に第１および第２のリレーを保護することができる。
【発明を実施するための最良の形態】
【００３３】
以下、図面を参照して本発明を実施するための形態を説明する。
【００３４】
図１および図２は、第１の発明の位相制御装置を実施するための一形態としての調光装置を示し、図１は回路図、図２は直電源出力モードにおける各部のタイミングチャートである。本形態において、調光装置は、位相制御回路１、リアクタ２、電流センサ３、リレー４および制御手段５を具備し、入力端が交流電源６に接続して、調光出力モードおよび直電源出力モードのいずれかを所望に応じて切り換えて負荷７を付勢するように構成されている。なお、負荷７には、調光出力モード時に主として照明負荷、例えば白熱電球が用いられる。また、直電源出力モード時には、前述の演出用の可動式照明装置など多様な負荷を接続することができる。
【００３５】
位相制御回路１は、交流電源６から負荷５に至る交流電源ライン８に挿入されており、サイリスタを備えている。サイリスタは、その一対１ａ、１ｂが逆並列接続されている。また、サイリスタ１ａ、１ｂとしてＳＣＲが用いられている。
【００３６】
リアクタ２は、位相制御回路１とその出力端側において直列接続されている。
【００３７】
電流センサ３は、交流電源ライン８に流れる少なくとも位相制御回路１の出力電流を監視し、その検出データを後述する制御手段５に制御入力する手段である。そして、本形態においては電流変成器が交流電源ライン８に挿入されている。
【００３８】
リレー４は、その接点が位相制御回路１に対して並列的に接続されている。本形態においては、位相制御回路１およびリアクタ２の直列回路に対して並列接続されている。そして、後述する制御手段５によってリレー４のＯＮ、ＯＦＦが制御される。
【００３９】
制御手段５は、マイコンを主体として構成されており、調光出力モードおよび直電源出力モードを切り換えるとともに、それぞれのモードに応じた所要の制御を行う。また、制御手段５は、交流電源６から直流を得て付勢されるとともに、電流センサ３で監視された位相制御回路１の出力電流の検出信号が制御入力され、所要の制御のために演算を行って各種制御信号を発生して位相制御回路１およびリレー４を制御する。
【００４０】
以下、図２を参照して制御動作を説明する。なお、図において、（ａ）は調光装置の出力電圧波形、（ｂ）は負荷電流波形、（ｃ）は位相制御回路１のサイリスタのゲート信号、（ｄ）はリレーの制御信号である。
【００４１】
直電源出力モードにより負荷７に通電する際に、制御手段５は、最初に時点ｔ１で位相制御回路１のサイリスタ１ａ、１ｂに（ｃ）に示すゲート信号を供給してこれをＯＮさせる。なお、サイリスタ１ａ、１ｂは、図２の（ｂ）に示すように位相制御されないので交流全波が導通状態とされている。その結果、（ａ）に示す出力電圧が位相制御回路１から負荷７に印加される。このとき、（ｂ）に示す負荷電流が突入電流になっても、その突入電流は位相制御回路１を通過する。そうして、電流センサ３が監視する負荷電流が、負荷の突入電流を流した後に低下して交流電圧の半サイクルのピーク値がリレーの許容電流値に到達したときの電流値からなる所定値Ｉａ以下のときに、制御手段５は、時点ｔ２でリレー４に（ｄ）に示す制御信号を供給してこれをＯＮさせる。その結果、位相制御回路１が短絡されるので、負荷電流は、リレー４を経由して負荷７に流れるようになり、直電源出力モードへの切り換えが完了する。
【００４２】
次に、直電源出力モードを停止する際には、制御手段５は、最初にリレー４に対する（ｄ）に示す制御信号の供給を時点ｔ３で停止してこれをＯＦＦさせる。これにより負荷電流は、リレー４経由から位相制御回路１の出力電流に切り換わる。次に、時点ｔ４で位相制御回路１のサイリスタ１ａ、１ｂに対する（ｃ）に示すゲート信号の供給を停止してこれをＯＦＦさせる。その結果、位相制御回路１がゼロクロス点でＯＦＦするので、（ａ）に示す出力電圧が消失し、これに伴い（ｂ）に示す負荷電流が遮断されて直電源出力モードが停止する。
【００４３】
調光出力モードにより負荷７を調光する際に、制御手段５は、リレー４をＯＦＦさせ、位相制御回路１のサイリスタ１ａ、１ｂに所要に位相制御されたゲート信号を供給して位相制御を行わせる。
【００４４】
図３および図４は、第２の発明の位相制御装置を実施するための一形態としての調光装置を示し、図３は回路図、図４は直電源出力モードにおける各部のタイミングチャートである。なお、図１および図２と同一部分には同一符号を付して説明は省略する。
【００４５】
本形態は、図３に示すように第２のリレー９をリアクタ２に並列接続していて、かつ制御手段５が第２のリレー９を以下図４を参照して説明する所定のタイミングで動作させるように制御している点で、図１および図２に示す形態と異なる。なお、符号４は、第１のリレーと称して第２のリレー９と区別しやすくする。
【００４６】
次に、図４を参照して制御動作を説明する。
【００４７】
直電源出力モードにより負荷７に通電する際に、制御手段５は、最初に時点ｔ０１で（ｅ）に示すように第２のリレー９に対して制御信号を供給して、第２のリレー９をＯＮさせる。これによりリアクタ２は短絡状態となり、そのインピーダンスが直電源出力回路に影響しなくなる。
【００４８】
次に、位相制御回路１のサイリスタ１ａ、１ｂに（ｃ）に示すゲート信号を供給してこれをＯＮさせる。その結果、（ａ）に示す出力電圧が位相制御回路１から負荷７に印加される。このとき、（ｂ）に示す負荷電流が突入電流になっても、その突入電流は位相制御回路１を通過する。そうして、電流センサ３が監視する位相制御回路１の出力電流が所定値Ｉａ以下になったときに、制御手段５は、時点ｔ２で第１のリレー４に（ｄ）に示す制御信号を供給してこれをＯＮさせる。さらにその後、制御手段５は、（ｅ）に示すように時点ｔ０２で第２のリレー９に対する制御信号を停止して、第２のリレー９をＯＦＦさせる。これにより、直電源出力モードへの切り換えが完了する。
【００４９】
次に、直電源出力モードを停止する際には、制御手段５は、最初に第１のリレー４に対する（ｄ）に示す制御信号の供給を時点ｔ３で停止してこれをＯＦＦさせる。次に、時点ｔ４で位相制御回路１のサイリスタ１ａ、１ｂに（ｃ）に示すゲート信号の供給を停止してこれをＯＦＦさせる。その結果、位相制御回路１がゼロクロスでＯＦＦするので、（ａ）に示す出力電圧が消失し、これに伴い（ｂ）に示す負荷電流が遮断されて直電源出力モードが停止する。
【００５０】
調光出力モードにより負荷７を調光する際に、制御手段５は、第１のリレー４および第２のリレー９をＯＦＦさせ、位相制御回路１のサイリスタ１ａ、１ｂに所要に位相制御されたゲート信号を供給して位相制御を行わせる。
【００５１】
図５は、第３の発明の位相制御装置を実施するための一形態としての調光装置の直電源出力モードにおける各部のタイミングチャートである。なお、本形態において、回路図は、図３に示す第２の発明における一形態のと同様である。また、図４と同一部分には同一符号を付して説明は省略する。
【００５２】
次に、図３および図５を参照して制御動作を説明する。
【００５３】
直電源出力モードにより負荷７に通電する際に、制御手段５は、最初に時点ｔ０１で（ｅ）に示すように第２のリレー９に対して制御信号を供給して、第２のリレー９をＯＮさせる。これによりリアクタ２は短絡状態となり、そのインピーダンスが直電源出力回路に影響しなくなる。
【００５４】
次に、位相制御回路１のサイリスタ１ａ、１ｂに（ｃ）に示すゲート信号を時点ｔ１で供給してこれをＯＮさせる。その結果、（ａ）に示す出力電圧が位相制御回路１から負荷７に印加される。このとき、（ｂ）に示す負荷電流が突入電流になっても、その突入電流は位相制御回路１を通過する。そうして、電流センサ３が監視する負荷電流が所定値Ｉａ（−Ｉａ）以下になったときに、制御手段５は、時点ｔ２で第１のリレー４に（ｄ）に示す制御信号を供給してこれをＯＮさせる。これにより、直電源出力モードへの切り換えが完了するので、交流電圧を直電源出力することができる。なお、本形態においては、直電源出力モード中、位相制御回路１および第２のリレー９は、（ｃ）および（ｅ）に示すように制御されているため、ＯＮ状態に維持されている。
【００５５】
直電源出力モードを停止する際には、制御手段５は、最初に第１のリレー４に対する（ｄ）に示す制御信号の供給を時点ｔ３で停止してこれをＯＦＦさせる。次に、時点ｔ４で位相制御回路１に（ｃ）に示すゲート信号の供給を停止してこれをゼロクロスでＯＦＦさせる。最後に、第２のリレー９を（ｅ）に示すように時点ｔ５でＯＦＦ状態に切り換えると、直電源出力モードが停止する。これにより、（ａ）に示す出力電圧が消失し、これに伴い（ｂ）に示す負荷電流が遮断されて直電源出力モードが停止する。
【００５６】
そうして、リレー９は、ＯＦＦする際に上記のように既に負荷電流が遮断されているので、直電源出力モードを停止する際にもリアクタ２のインピーダンスの影響がなくなり、保護される。
【００５７】
調光出力モードにより負荷７を調光する際に、制御手段５は、第１のリレー４および第２のリレー９をＯＦＦさせ、位相制御回路１に所要に位相制御されたゲート信号を供給して位相制御を行わせる。
【図面の簡単な説明】
【００５８】
【図１】第１の発明の位相制御装置を実施するための一形態としての調光装置の回路図
【図２】同じく直電源出力モードにおける各部のタイミングチャート
【図３】第２の発明の位相制御装置を実施するための一形態としての調光装置の回路図
【図４】同じく直電源出力モードにおける各部のタイミングチャート
【図５】第３の発明の位相制御装置を実施するための一形態としての調光装置の直電源出力モードにおける各部のタイミングチャート
【符号の説明】
【００５９】
１…位相制御回路、１ａ、１ｂ…サイリスタ、２…リアクタ、３…電流センサ、４…リレー、５…制御手段、６…交流電源、７…負荷、８…交流電源ライン
【図１】
0005401833.tif 000002
【図２】
0005401833.tif 000003
【図３】
0005401833.tif 000004
【図４】
0005401833.tif 000005
【図５】
0005401833.tif 000006